(57)【特許請求の範囲】
【請求項１】
給湯用熱交換器から出湯されたお湯を分岐して、一方を追い焚き用熱交換器を経由して追い焚き回路の往き側から浴槽内に注湯し、他方を追い焚き回路の戻り側を経由して浴槽内に注湯することができるように構成すると共に、前記往き側と戻り側を経由して注湯される夫々の分配水量を検知して、浴槽へのお湯張り時は、給湯用熱交換器の通水量を最大に制御し、給湯側のガスバーナを最大の燃焼量で燃焼させ、浴槽への落し込み温度（往き側からの注湯と戻り側からの注湯の混ざり合った温度）が風呂設定温度となるように追い焚き側のガスバーナの燃焼量を制御する電装基盤を設けたことを特徴とする風呂給湯機。
【請求項２】
追い焚き回路の往き側と戻り側について夫々の分配水量を検知し、浴槽へのお湯張り時は、給湯用熱交換器の通水量を最大とし、追い焚き側のガスバーナを最大の燃焼量で燃焼させ、浴槽への落とし込み温度（往き側からの注湯と戻り側からの注湯の混ざり合った温度）が風呂設定温度となるように給湯側のガスバーナの燃焼量を制御することを特徴とする請求項１記載の風呂給湯機。
【請求項３】
追い焚き回路の往き側と戻り側に給湯用熱交換器側から送られて来た温水を分配して注湯を行う際、この分配前のラインに注湯水量センサを取り付けると共に、追い焚き回路の往き側に注湯水量検出センサを取り付けて双方のセンサで検出された値から追い焚き回路の戻り側を経由して注湯される水量値を求め、この値を基にして給湯用熱交換器のガスバーナ又は追い焚き用ガスバーナの燃焼量を制御して浴槽に対する注湯温度が設定温度になるように制御する請求項１又は２記載の風呂給湯機。
【請求項４】
追い焚き回路の往き側と戻り側に給湯用熱交換器側から送られて来た温水を分配して注湯を行う際、この分配前のラインに注湯水量センサを取り付けると共に、追い焚き回路の戻り側に注湯水量検出センサを取り付けて双方のセンサで検出された値から追い焚き回路の往き側を経由して注湯される水量値を求め、この値を基にして給湯用熱交換器のガスバーナ又は追い焚き用ガスバーナの燃焼量を制御して浴槽に対する注湯温度が設定温度になるように制御する請求項１又は２記載の風呂給湯機。
【発明の詳細な説明】
【０００１】
【発明の属する技術分野】
本発明は、給湯用熱交換器で上水を設定温度となるように加熱し、この加熱した温水を追い焚き回路の往き側を経由して浴槽に注湯してお湯張りを行い、浴槽内のお湯の追い焚きは別に設けた追い焚き用熱交換器と浴槽を結ぶ追い焚き回路を用いて行う風呂給湯機に関するものである。
【０００２】
【従来の技術】
従来の風呂給湯機は、浴槽に対するお湯張りと追い焚きは別々の熱交換器を用いて行う構成となっていて、お湯張り用の給湯用熱交換器では、上水を設定温度である例えば４０℃に加熱して浴槽に注湯し、お湯張りが終了して自然放熱により数℃温度が低下した分は、改めて追い焚き用熱交換器を駆動して設定温度たる４０℃になるように再加熱している。
【０００３】
【発明が解決しようとする課題】
このように、従来の風呂給湯機の場合、お湯張りには給湯用熱交換器のみを用い、追い焚き用熱交換器は使用しないことから、水温の低い冬場などは、給湯機用熱交換器をフル運転してもお湯張りに時間がかかると云う問題がある。
【０００４】
例えば、給湯能力４５，０００ｋｃａｌ／ｈ、追い焚き能力１０，０００ｋｃａｌ／ｈの風呂給湯機の場合（現行の一般的な２４号風呂給湯機）、冬場で水温が５℃のとき、４０℃でお湯張りをすると、給湯能力をフルで運転しても、１７リットル／分ずつしか湯張りできない。このため、浴槽に２００リットルのお湯を張るとすると、１１分以上の時間がかかることになる。
【０００５】
本発明の目的は、お湯張り時間を可及的に短縮するように工夫した風呂給湯機を提供することである。
【０００９】
請求項１に記載の発明においては、風呂給湯機において、給湯用熱交換器から出湯されたお湯を分岐して、一方を追い焚き用熱交換器を経由して追い焚き回路の往き側から浴槽内に注湯し、他方を追い焚き回路の戻り側を経由して浴槽内に注湯することができるように構成すると共に、前記往き側と戻り側を経由して注湯される夫々の分配水量を検知して、浴槽へのお湯張り時は、給湯用熱交換器の通水量を最大に制御し、給湯側のガスバーナを最大の燃焼量で燃焼させ、浴槽への落し込み温度（往き側からの注湯と戻り側からの注湯の混ざり合った温度）が風呂設定温度となるように追い焚き側のガスバーナの燃焼量を制御する電装基盤を設けたことを特徴とするものである。
【００１０】
請求項２に記載の発明においては、請求項１記載の発明において、追い焚き回路の往き側と戻り側について夫々の分配水量を検知し、浴槽へのお湯張り時は、給湯用熱交換器の通水量を最大とし、追い焚き側のガスバーナを最大の燃焼量で燃焼させ、浴槽への落とし込み温度（往き側からの注湯と戻り側からの注湯の混ざり合った温度）が風呂設定温度となるように給湯側のガスバーナの燃焼量を制御することを特徴とするものである。
【００１１】
請求項３に記載の発明においては、請求項１又は２に記載の発明において、追い焚き回路の往き側と戻り側に給湯用熱交換器側から送られて来た温水を分配して注湯を行う際、この分配前のラインに注湯水量センサを取り付けると共に、追い焚き回路の往き側に注湯水量検出センサを取り付けて双方のセンサで検出された値から追い焚き回路の戻り側を経由して注湯される水量値を求め、この値を基にして給湯用熱交換器のガスバーナ又は追い焚き用ガスバーナの燃焼量を制御して浴槽に対する注湯温度が設定温度になるように制御することを特徴とするものである。
【００１２】
請求項４に記載の発明においては、請求項１又は２に記載の発明において、追い焚き回路の往き側と戻り側に給湯用熱交換器側から送られて来た温水を分配して注湯を行う際、この分配前のラインに注湯水量センサを取り付けると共に、追い焚き回路の戻り側に注湯水量検出センサを取り付けて双方のセンサで検出された値から追い焚き回路の往き側を経由して注湯される水量値を求め、この値を基にして給湯用熱交換器のガスバーナ又は追い焚き用ガスバーナの燃焼量を制御して浴槽に対する注湯温度が設定温度になるように制御することを特徴とするものである。
【００１４】
【作用】
お風呂の自動運転スイッチがＯＮに制御されると、最大水量の上水が給湯用熱交換器内に導入されてここで加熱される。但し、ここでの加熱温度は、水量が最大となっている分、設定温度までは加熱することができず、例えば設定温度が４０℃のとき、給湯用熱交換器の出の温度は３０℃程度となることがある。この３０℃に加熱された温水は、次に追い焚き用熱交換器に導入されてここで設定温度たる４０℃まで加熱され、追い焚き回路の往き側から浴槽内に注湯される。又は、上水が最大水量のとき、給湯用熱交換器側から出湯されたお湯の一部を追い焚き用熱交換器側の戻り側に流し、残量を追い焚き回路の往き側に流して双方から浴槽内に注湯する。このとき、追い焚き側のガスバーナ又は給湯側のガスバーナの一方を最大の燃焼量で燃焼させ、往き側と戻り側の双方から注湯された浴槽内のお湯の温度が設定温度になるように最大で燃焼させない側のガスバーナの燃焼量を制御する。このようにしてお湯張りが終了すると、次に追い焚き回路の循環ポンプが駆動して一旦追い焚き回路内にお湯を循環させてお湯の温度を検出し、もし設定温度より低いときには追い焚きを行って設定温度になるように再加熱を行う。
【００１５】
【実施例】
図１に基づいて本発明の実施例を詳述する。この図１において、１は風呂給湯機、２は浴槽である。３は上水ライン１ａから給水される上水を加熱するための給湯ユニットであって、３ａは給湯用熱交換器、３ｂはガスバーナである。４は追い焚きユニットであって、４ａは追い焚き用熱交換器、４ｂはガスバーナである。
５は前記給湯ユニット３の給湯ラインであって、この給湯ライン５は給湯栓６に至る出湯ライン７と、再加熱ライン８を経由して前記追い焚きユニット４の熱交換器４ａの入側に至るラインに分岐されている。
【００１６】
９は浴槽２と前記追い焚きユニット４間に結ばれた追い焚き回路であって、この戻り側９ａは前記再加熱ライン８に結ばれ、往き側９ｂは前記追い焚きユニット４の熱交換器４ａの出湯側に結ばれている。
１０は追い焚きユニット４の入側（再加熱ライン８と戻り側９ａが合流した下流側）に取り付けられた水流スイッチ、１１は注湯電磁弁、１２は注湯水量センサ、１３は追い焚き用循環ポンプ、１４は風呂サーミスタ、１５は上水ライン１ａと出湯ライン７を結ぶバイパス、１６はバイパス水量調整弁、１７は水量調整弁、１８は上水ライン１ａに取り付けられた注水量センサ、１９は追い焚き回路９の戻り側９ａに取り付けられた水量センサ、２０は電装基板、２１は浴室に取り付けられたリモコンであって、電装基板２０により、本実施例の風呂給湯機１はその運転が制御される。
次に、自動運転例を説明する。
【００１７】
・お風呂沸かし（注湯）
リモコン２１により電装基板２０に自動運転信号が入ると、上水ライン１ａが全開し、併せて給湯ユニット３のガスバーナ３ｂが最大の燃焼量となって上水を加熱する。このお湯は、再加熱ライン８から追い焚き用熱交換器４ａを経由して往き側９ｂから浴槽２内に注湯される。そして、このときのお湯の温度は風呂サーミスタ１４により検出されていて、設定温度よりも低い場合は、設定温度になるように追い焚きユニット４側のガスバーナ４ｂを駆動する。なお、上水ライン１ａからの給水量が、給湯ユニット３と追い焚きユニット４の合計合数を超えた場合には、合計合数になるように上水ライン１ａからの給水量を制御する。
【００１８】
設定水位まで注湯されると、一旦給湯ユニット３及び追い焚きユニット４は運転を停止し、次に追い焚き用循環ポンプ１３が駆動して浴槽２内に張られたお湯を追い焚き回路９内に循環させて風呂サーミスタ１４により温度を検出し、設定温度より低い場合には、再度追い焚きユニット４を運転して設定温度になるまで追い焚きを行う。
【００１９】
上記運転は、浴槽２へのお湯張り時に通水量を最大に制御し、給湯ユニット３側のガスバーナ３ｂを最大に制御しているが、追い焚き側のガスバーナ４ｂを最大の燃焼量で燃焼させ、前記追い焚き用熱交換器４ａの出口側の温度が風呂設定温度となるように給湯ユニット３側のガスバーナ３ｂの燃焼量を制御するようにしてもよい。
【００２０】
又、給水量を最大に制御して給湯ユニット３のガスバーナ３ｂを最大の燃焼量に制御し、再加熱ライン８から送り出されたお湯を追い焚きユニット４の追い焚き用熱交換器４ａの入側と戻り側９ａに分流し、追い焚き回路９の往き側９ｂと戻り側９ａの双方から注湯を可能にすると共に、この時の往き側９ｂと戻り側９ａの分配水量を注湯水量センサ１２と水量センサ１９で検知し（注湯水量センサ１２で検出された水量−水量センサ１９で検出された水量＝往き側９ｂの水量）、浴槽２への落し込み温度（往き側９ｂからの注湯と戻り側９ａからの注湯の混ざり合った温度）が設定温度となるように演算を行いながら追い焚きユニット４側のガスバーナ４ｂの燃焼量を制御するようにしてもよい。
【００２１】
又、反対に、追い焚きユニット４側のガスバーナ４ｂを最大の燃焼量で燃焼させ、浴槽２への落とし込み温度（往き側９ｂからの注湯と戻り側９ａからの注湯の混ざり合った温度）が風呂設定温度となるように演算を行いながら給湯ユニット３側のガスバーナ３ｂの燃焼量を制御するようにしてもよい。なお、上記実施例において、水量センサ１９は戻り側９ａに取り付けているが、往き側９ｂに取り付けて往き側９ｂと戻り側９ａの双方の水量を測定し、この値と注湯水量センサ１２で検出された水量からガスバーナ３ｂ又は４ｂの燃焼量を制御するようにしてもよい。
【００２２】
・追い焚き
浴槽２内のお湯の温度が低下していて、追い焚きモードが設定されると、循環ポンプ１３が駆動し、追い焚きユニット４が運転を開始して、浴槽２内のお湯を設定温度になるまで追い焚きを行う。このときのお湯の温度は、前記した風呂サーミスタ１４で検出する。なお、この追い焚きは、保温モードの時も同様の運転となる。
【００２３】
【発明の効果】
本発明は以上のように、お湯張りに際し、給湯ユニットに加えて追い焚きユニットを併用することにより、大容量の注湯が可能となり、よってお湯張り時間を従来のものに比較して大巾に短縮することができる。
例えば、給湯能力４５，０００ｋｃａｌ／ｈ、追い焚き能力１０，０００ｋｃａｌ／ｈの風呂給湯機の場合、冬場で水温が５℃のとき、４０℃でお湯張りをすると、双方の給湯能力をフルで運転することにより、２１リットル／分まで湯張り量を増加させることができる。この結果、浴槽に２００リットルのお湯を張るとすると、従来の１１分に比較して約７〜８分で済むようになる。
【図面の簡単な説明】
【図１】本発明の実施例の説明図。
【符号の説明】
１  風呂給湯機
１ａ  上水ライン
２  浴槽
３  給湯ユニット
３ａ  給湯用熱交換器
３ｂ  ガスバーナ
４  追い焚きユニット
４ａ  追い焚き用熱交換器
４ｂ  ガスバーナ
５  給湯ライン
６  給湯栓
７  出湯ライン
８  再加熱ライン
９  追い焚き回路
９ａ  戻り側
９ｂ  往き側
１０  水流スイッチ
１１  注湯電磁弁
１２  注湯水量センサ
１３  追い焚き用循環ポンプ
１４  風呂サーミスタ
１５  バイパス
１６  バイパス水量調整弁
１７  水量調整弁
１８  注水量センサ
１９  水量センサ
２０  電装基板
２１  リモコン
【図１】
0003693278.tif 000002